(57)【要約】【課題】システムエラーの対処を短時間で実施して保守性を向上させると共に、セキュリティ監査等で必要とされる過去のログ情報を利用可能とする。【解決手段】第１の大容量記憶媒体１２と、第２の大容量記憶媒体１３と、該第１および第２の大容量記憶媒体におけるデータを管理するストレージサーバ１１と、を有するストレージ装置１であって、前記ストレージサーバ１１は、正常動作時のログおよびエラー発生時のログを記録するアクセスログファイル１１１と、システムエラー発生時のログだけを記録する専用のエラーログファイル１１２と、を格納する第３の記憶媒体１１０を備えるように構成する。【選択図】図２
2008129763.tif 000002
【特許請求の範囲】
【請求項１】
第１の大容量記憶媒体と、第２の大容量記憶媒体と、該第１および第２の大容量記憶媒体におけるデータを管理するストレージサーバと、を有するストレージ装置であって、
前記ストレージサーバは、正常動作時のログおよびエラー発生時のログを記録するアクセスログファイルと、システムエラー発生時のログだけを記録する専用のエラーログファイルと、を格納する第３の記憶媒体を備えることを特徴とするストレージ装置。
【請求項２】
第１の大容量記憶媒体と、第２の大容量記憶媒体と、該第１および第２の大容量記憶媒体におけるデータを管理するストレージサーバと、を有するストレージ装置であって、
前記ストレージサーバは、正常動作時のログおよびエラー発生時のログを記録するログファイルを格納した第３の記憶媒体を備え、
予め定められたタイミングで前記第３の記憶媒体に格納されたログファイルにおける古いログを前記ストレージサーバの外部に設けられた第４の記憶媒体にバックアップすると共に、当該バックアップした古いログに対応するデータを前記第３の記憶媒体に格納されたログファイルから削除するようにしたことを特徴とするストレージ装置。
【請求項３】
請求項１または２に記載のストレージ装置において、
前記第１の大容量記憶媒体は、ハードディスクアレイであり、
前記第２の大容量記憶媒体は、テープ媒体であり、
前記第３の記憶媒体は、前記ストレージサーバに内蔵されたハードディスクであることを特徴とするストレージ装置。
【請求項４】
第１の大容量記憶媒体と、第２の大容量記憶媒体と、該第１および第２の大容量記憶媒体におけるデータを管理するストレージサーバと、を有するストレージ装置における前記ストレージサーバに、
エラーの発生時のログを、正常動作時のログと共にアクセスログファイルに記録する手順と、
前記エラーがシステムエラーか否かを判定する手順と、
前記エラーがシステムエラーと判定されたときは、当該システムエラー発生時のログを専用のエラーログファイルに記録する手順と、を実行させ、ログの管理を行わせることを特徴とするログ管理プログラム。
【請求項５】
第１の大容量記憶媒体と、第２の大容量記憶媒体と、該第１および第２の大容量記憶媒体におけるデータを管理するストレージサーバと、を有するストレージ装置における前記ストレージサーバに、
予め定められたタイミングで前記ストレージサーバの内蔵記憶媒体に格納されたログファイルを確認する手順と、
前記内蔵記憶媒体に格納されたログファイルにおける古いログを前記ストレージサーバの外部に設けられた外部記憶媒体にバックアップすると共に、当該バックアップした古いログに対応するデータを前記内蔵記憶媒体に格納されたログファイルから削除する手順と、を実行させ、ログの管理を行わせることを特徴とするログ管理プログラム。
【発明の詳細な説明】
【技術分野】
【０００１】
本発明は、ストレージ装置およびログ管理プログラムに関する。
【背景技術】
【０００２】
近年、デジタル化の進展に伴って、企業を始めとして様々な分野における情報量（デジタルデータ）が急激に増加している。具体的に、例えば、病院における医療画像情報、国や地方自治体における様々な電子文書および長期保管文書、製造や建築分野におけるＣＡＤ／ＣＡＭ等の設計データ、放送や新聞および出版分野におけるデジタル映像や記事データおよび電子書籍、或いは、インターネットプロバイダによる画像や映像コンテンツおよび e-mail 関連情報といった大量のデジタルデータが様々な分野で使用されている。
【０００３】
そして、このような大量のデジタルデータを、低コストおよび高速アクセスを両立させつつ保管するストレージ装置として、アーカイブストレージ装置が提供されている。
【０００４】
図１はストレージ装置を含むストレージシステムの一例を概略的に示すブロック図であり、ストレージ装置の一例としてアーカイブストレージ装置を含むＣＡＭ（Content Archive Manager：コンテンツ・アーカイブ・マネージャー）システムを概略的に示すものである。
【０００５】
図１において、参照符号１はアーカイブストレージ装置（ストレージ装置）、１１はＣＡＭサーバ（ストレージサーバ）、１２はディスクアレイ（ハードディスクアレイ）、１３はテープ媒体、２１，２２，…はＣＡＭクライアント（クライアント）、そして、３はＬＡＮ（ネットワーク）を示している。
【０００６】
図１に示されるように、アーカイブストレージ装置１は、ＣＡＭサーバ１１、ディスクアレイ１２、および、テープ媒体１３を備えて構成される。ＣＡＭサーバ１１は、ディスクアレイ１２とテープ媒体１３を組み合わせて大量のデジタルデータを効率的に記憶および管理するもので、このＣＡＭサーバ１１にインストールされるプログラムに従って処理が実行される。なお、ＣＡＭサーバ１１は、図示しないＣＰＵ，ＲＡＭおよびＲＯＭ等のメモリ，Ｉ／Ｏデバイス、並びに、図示した内蔵ハードディスク１１０等を備えている。
【０００７】
すなわち、アーカイブストレージ装置１におけるデータの保存は、例えば、ディスクアレイ１２に保存されたデータをテープ媒体１３に自動的にコピーし、原本情報として確実に保存するようになっている。通常、アーカイブストレージ装置１には、追記型（ＷＯＲＭ：Write Once Read Many）構造が採用され、一度保存した情報はデータの改ざんや誤消去から完全に守られるようになっている。
【０００８】
また、アーカイブストレージ装置１には、保存情報の再利用を促すために保存データに識別用の管理情報を付与し、例えば、二次階層ストレージであるテープ媒体１３に保存した情報をほかのシステムでも読み出し可能とし、或いは、格納された情報を次世代のストレージ装置やメディア規格に移行可能とするといった様々な機能も与えられている。
【０００９】
ここで、ディスクアレイ１２は、複数のハードディスクドライブを有するレイド装置として構成され、また、テープ媒体１３は、所定容量（例えば、数百ギガバイト）を有する所定数（例えば、数十本）の磁気テープカートリッジで構成されている。このテープ媒体１３は、例えば、ＨＤ−ＤＶＤやブレーレイといった大容量記憶メディアを代わりに使用し、或いは、テープ媒体１３に加えてさらに大容量記憶メディアを設けてアーカイブストレージ装置１を構成することもあるのはいうまでもない。
【００１０】
ＣＡＭサーバ１１は、例えば、各ＣＡＭクライアント２１，２２，…からのアクセスや様々なエラー等のログを、そのＣＡＭサーバ１１の内蔵ハードディスク１１０にアクセスログファイルとして格納するようになっている。
【００１１】
なお、ＣＡＭシステムにおいて、ＣＡＭクライアント２１，２２，…は、例えば、専用のＡＰＩ（Application Program Interface）を利用することで、許可しないサーバからの侵入やデータ利用を禁止すると共に、同一名の保存情報の再アーカイブを別のコンテンツ情報として管理することにより、更新や改ざんを防止するようになっている。
【００１２】
ところで、従来、アクセスログ等が記録される情報記録装置において、上位装置やオペレータによって保存場所や保存期限を管理することなく、保存期限まで確実にデータを保存するものとして、上位装置からアンロード命令が発行されると（例えば、１日１回発行）、未使用ボリュームプールにボリューム管理情報が登録されている未使用磁気テープの内の１本をドライブにマウントして、現在の日付に関連したボリューム名を付与すると共に、ボリューム管理情報を未使用ボリュームプールからラベル付きボリュームリストに付け替え、ラベル付きボリュームリストに登録されているボリューム管理情報の数が所定値（例えば、保存期限が１年なら３６５）以上になったら、登録時期が古いボリューム管理情報を未使用ボリュームプールに付け替えるものが提案されている（例えば、特許文献１参照）。
【００１３】
【特許文献１】特開２００５−３３２０４３号公報
【発明の開示】
【発明が解決しようとする課題】
【００１４】
上述したように、従来、ＣＡＭサーバ１１によりディスクアレイ１２とテープ媒体１３を組み合わせて大量のデジタルデータを効率的に記憶および管理するストレージ装置（アーカイブストレージ装置）が提供されている。
【００１５】
そして、ＣＡＭサーバ１１は、例えば、各ＣＡＭクライアント２１，２２，…からのアクセスや様々なエラー等のログを、そのＣＡＭサーバ１１の内蔵ハードディスク１１０にアクセスログファイルとして格納するようになっている。
【００１６】
ところで、近年、データの不正アクセスや不正持ち出しを監査するセキュリティ監査や、過去に遡ったログの解析を行う必要が生じて来ている。しかしながら、従来のアーカイブストレージ装置では、例えば、セキュリティ監査を行う上で必要な情報を出力することができないことがあった。
【００１７】
すなわち、従来のアーカイブストレージ装置では、「何時、誰が、何処のホスト（ＣＡＭクライアント）から、どのアーカイブＩＤに対して、何を操作して、どのような結果になったか」という正常動作時のログや、不正なパスワードを使用したログインのエラー状況等を出力することができず、過去のアクセス状況をチェックすることが困難なことがあった。
【００１８】
これは、従来、ログ情報はそれほど重要視されておらず、ログを記録するＣＡＭサーバ１１における内蔵ハードディスク１１０の所定領域が一杯になると、古いログから順に削除して新しいログを記録するようになっていた。また、従来、このようなログ情報は、バックアップの対象にもなっていなかった。
【００１９】
そのため、従来のＣＡＭサーバ１１は、内蔵ハードディスク１１０に記録されているログだけしか参照することができず、その内蔵ハードディスク１１０の所定領域を超えた古いログは参照することができなかった。
【００２０】
さらに、従来のＣＡＭサーバ１１は、例えば、或る処理を行うときに所定サイズのメモリを確保することができない、或いは、テープ媒体１３にデータを書き込むときにエラーメッセージが出て書き込みが行えないといったシステムエラーに関する専用のログ管理を行ってはいなかった。
【００２１】
ここで、ＣＡＭサーバ１１における内蔵ハードディスク１１０に記録されたログは、殆どが正常動作時のログであり、このような大量の正常動作時のログからシステムエラーに関するログを見つけ出すのは容易ではなく、システムエラーに関するログを見つけ出して対処するには長時間を要して保守性が低下することにもなっていた。
【００２２】
本発明は、上述した従来技術が有する課題に鑑み、システムエラーを記録する専用のログファイルを設けることで、システムエラーの対処を短時間で実施して保守性を向上させることを目的とする。さらに、本発明は、ストレージサーバの内蔵ハードディスクに記録された古いログ情報を外部のテープ媒体等にバックアップすることにより、セキュリティ監査等で必要とされる過去のログ情報を利用可能とすることを目的とする。
【課題を解決するための手段】
【００２３】
本発明の第１の形態によれば、第１の大容量記憶媒体と、第２の大容量記憶媒体と、該第１および第２の大容量記憶媒体におけるデータを管理するストレージサーバと、を有するストレージ装置であって、前記ストレージサーバは、正常動作時のログおよびエラー発生時のログを記録するアクセスログファイルと、システムエラー発生時のログだけを記録する専用のエラーログファイルと、を格納する第３の記憶媒体を備えることを特徴とするストレージ装置が提供される。
【００２４】
本発明の第２の形態によれば、前記ストレージサーバは、正常動作時のログおよびエラー発生時のログを記録するログファイルを格納した第３の記憶媒体を備え、予め定められたタイミングで前記第３の記憶媒体に格納されたログファイルにおける古いログを前記ストレージサーバの外部に設けられた第４の記憶媒体にバックアップすると共に、当該バックアップした古いログに対応するデータを前記第３の記憶媒体に格納されたログファイルから削除するようにしたことを特徴とするストレージ装置が提供される。
【００２５】
本発明の第３の形態によれば、第１の大容量記憶媒体と、第２の大容量記憶媒体と、該第１および第２の大容量記憶媒体におけるデータを管理するストレージサーバと、を有するストレージ装置における前記ストレージサーバに、エラーの発生時のログを、正常動作時のログと共にアクセスログファイルに記録する手順と、前記エラーがシステムエラーか否かを判定する手順と、前記エラーがシステムエラーと判定されたときは、当該システムエラー発生時のログを専用のエラーログファイルに記録する手順と、を実行させ、ログの管理を行わせることを特徴とするログ管理プログラムが提供される。
【００２６】
本発明の第４の形態によれば、前記ストレージサーバに、予め定められたタイミングで前記ストレージサーバの内蔵記憶媒体に格納されたログファイルを確認する手順と、前記内蔵記憶媒体に格納されたログファイルにおける古いログを前記ストレージサーバの外部に設けられた外部記憶媒体にバックアップすると共に、当該バックアップした古いログに対応するデータを前記内蔵記憶媒体に格納されたログファイルから削除する手順と、を実行させ、ログの管理を行わせることを特徴とするログ管理プログラムが提供される。
【発明の効果】
【００２７】
本発明によれば、システムエラーを記録する専用のログファイルを設けることで、システムエラーの対処を短時間で実施して保守性を向上させることができる。さらに、本発明によれば、ストレージサーバの内蔵ハードディスクに記録された古いログ情報を外部のテープ媒体等にバックアップすることにより、セキュリティ監査等で必要とされる過去のログ情報を利用することが可能となる。
【発明を実施するための最良の形態】
【００２８】
以下、本発明に係るストレージ装置およびログ管理プログラム（ログ管理方法）の実施例を、添付図面を参照して詳述する。
【実施例】
【００２９】
図２は本発明に係るストレージ装置の一実施例を概略的に示すブロック図である。
本実施例のストレージ装置（アーカイブストレージ装置）１は、基本的には図１を参照して説明したものと同様のハード構成となっており、ＣＡＭサーバ（ストレージサーバ）１１、ディスクアレイ（第１の大容量記憶媒体）１２、および、テープ媒体（第２の大容量記憶媒体）１３を備えている。
【００３０】
ＣＡＭサーバ１１は、ディスクアレイ１２とテープ媒体１３を組み合わせて大量のデジタルデータを効率的に記憶および管理するもので、このＣＡＭサーバ１１にインストールされるプログラムに従って処理が実行される。ＣＡＭサーバ１１は、前述したように、図示しないＣＰＵ，ＲＡＭおよびＲＯＭ等のメモリ，Ｉ／Ｏデバイス、並びに、図示した内蔵ハードディスク１１０等を備えている。なお、アーカイブストレージ装置１、並びに、ＣＡＭクライアント（２１，２２，…）を含めたアーカイブストレージシステムの構成およびその機能は、基本的には図１を参照して説明したのと同様である。
【００３１】
ここで、図１を参照して説明したアーカイブストレージ装置１では、例えば、各ＣＡＭクライアント２１，２２，…からのアクセスといった正常動作時のログおよび様々なエラー発生時等のログが１つのログファイル（アクセスログファイル）として、そのＣＡＭサーバ１１の内蔵ハードディスク（第３の記憶媒体，内蔵記憶媒体）１１０に記録されていた。
【００３２】
これに対して、本実施例のアーカイブストレージ装置１（ＣＡＭサーバ１１）は、図３および図４を参照して後述するように、ＣＡＭサーバ１１の内蔵ハードディスク１１０に対して、正常動作時のログおよびエラー発生時等のログを記録するアクセスログファイル１１１だけでなく、エラー発生時、特に、システムエラー発生時のログだけを記録する専用のログファイル（エラーログファイル）１１２を設ける（格納する）ようになっている。
【００３３】
さらに、本実施例のアーカイブストレージ装置１（ＣＡＭサーバ１１）は、図５〜図７を参照して後述するように、ＣＡＭサーバ１１の内蔵ハードディスク１１０に記録された古いログ情報をテープ媒体（第４の記憶媒体，外部記憶媒体）１３０にバックアップすることにより、セキュリティ監査等で必要とされる過去のログ情報を利用可能とするようになっている。なお、古いログ情報のバックアップは、テープ媒体１３０に限定されず、ＨＤ−ＤＶＤやブルーレイ或いは他の記憶媒体を使用することができるのはいうまでもない。
【００３４】
図３は本発明に係るストレージ装置におけるログ管理処理の一形態を説明するためのフローチャートであり、エラー発生時のログの記録処理を説明するためのものである。
【００３５】
図３に示されるように、本発明に係るストレージ装置では、エラーが発生すると、まず、ステップＳＴ１１において、ログ出力関数を生成し、さらに、ステップＳＴ１２に進んで、アクセスログファイル１１１へログ情報を出力する。すなわち、ＣＡＭサーバ１１の内蔵ハードディスク１１０におけるアクセスログファイル１１１用の領域にログ情報を記録する。ここで、アクセスログファイル１１１には、エラー発生時のログだけでなく、正常動作時のログも記録されるようになっており、これは、前述した従来のＣＡＭサーバ１１の内蔵ハードディスク１１０に記録されるログに対応するものである。
【００３６】
次に、ステップＳＴ１３に進んで、エラー種別の判定を行う。すなわち、ステップＳＴ１３において、エラー種別が、例えば、パスワードの入力ミスといったシステムとは関係の無いエラー（システムエラー以外）であると判定されるとそのまま処理を終了する。
【００３７】
一方、ステップＳＴ１３において、エラー種別が、例えば、或る処理を行うときに所定サイズのメモリを確保することができない、或いは、テープ媒体１３にデータを書き込むときにエラーメッセージが出て書き込みが行えないといったシステムに関するエラー（システムエラー）であると判定されると、ステップＳＴ１４に進んで、エラーログファイル１１２へログ情報（エラーログ情報）を出力して処理を終了する。すなわち、ＣＡＭサーバ１１の内蔵ハードディスク１１０におけるエラーログファイル１１２用の領域にログ情報を記録する。
【００３８】
従って、システムエラーのログは、アクセスログファイル１１１およびエラーログファイル１１２の両方に記録される。なお、エラーログファイル１１２には、システムエラーのログだけが記録されることになる。
【００３９】
図４は本発明に係るストレージ装置におけるエラー処理の一例を説明するためのフローチャートである。
【００４０】
図４に示されるように、システムエラーが発生すると、ステップＳＴ２１において、例えば、システム管理者がエラーログファイル１１２を参照してエラー対処を実施する。ここで、エラーログファイル１１２には、通常のログは含まれていないため、システム管理者は、容易にシステムエラーのログを参照することができ、短時間でそのシステムエラーに対処することが可能になる。
【００４１】
次に、ステップＳＴ２２に進んで、例えば、システム管理者がエラーログファイル１１２のリセットを実行し、これによりエラーログファイル１１２は空となり、処理が終了する。これにより、システム管理者は、次回のシステムエラーのログ参照を容易に行うことが可能となる。
【００４２】
このように、本実施例によれば、例えば、或る処理を行うときに所定サイズのメモリを確保することができない、或いは、テープ媒体１３にデータを書き込むときにエラーメッセージが出て書き込みが行えないといったシステムエラーが生じた場合でも、エラーログファイル１１２を参照することにより、容易にシステムエラーのログを参照することができ、短時間でそのシステムエラーに対処することが可能になる。
【００４３】
図５は本発明に係るストレージ装置におけるログ管理処理の他の形態を説明するためのフローチャートであり、予め定められたタイミングで行われるログのバックアップ処理を説明するためのものである。
【００４４】
図５に示されるように、本発明に係るストレージ装置では、例えば、毎日１２時または毎月１日といった予め定められたタイミングでＣＡＭサーバ１１の内蔵ハードディスク１１０におけるログファイル（アクセスログファイル）１２０のバックアップ処理が実行される。このバックアップ機能は、まず、ステップＳＴ３１において、バックアップ管理簿より前回のバックアップ日付を取得してステップＳＴ３２へ進む。ここで、バックアップ管理簿は、ＣＡＭサーバ１１の内蔵ハードディスク１１０に記録されており、それを読み出すことになる。
【００４５】
次に、ステップＳＴ３２において、今日の日付を取得し、ステップＳＴ３３に進んで、バックアップ対象のデータを抽出する。すなわち、例えば、ステップＳＴ３１で得た前回のバックアップ日付からステップＳＴ３２で得た今日の日付までのログをバックアップ対象のデータとして抽出する。
【００４６】
さらに、ステップＳＴ３４に進んで、バックアップ対象のデータ（前回のバックアップ日付から今日の日付までのログ情報）を、ＣＡＭサーバ１１の内蔵ハードディスク１１０（アクセスログファイル１１１）から、専用のテープ媒体１３０へコピー（バックアップ）して、ステップＳＴ３５へ進む。
【００４７】
ステップＳＴ３５において、バックアップ管理簿を更新して、ステップＳＴ３６へ進み、バックアップ済みデータの古いものを削除し、新しいデータをＣＡＭサーバ１１の内蔵ハードディスク１１０に残して処理を終了する。ここで、内蔵ハードディスク１１０に残されるログ情報は、ステップＳＴ３４において内蔵ハードディスク１１０からテープ媒体１３０へバックアップされるデータを除いた新しいログだけとしても良いが、例えば、一週間分または１ヶ月分といった所定の期間分のログ情報を内蔵ハードディスク１１０に残し、その所定の期間分のログを内蔵ハードディスク１１０とテープ媒体１３０の両方に記録させておくようにしてもよい。
【００４８】
以上において、内蔵ハードディスク１１０からテープ媒体１３０へのログファイルのバックアップを行うタイミングは、毎日１２時または毎月１日に限定されず、適宜変更することができ、また、バックアップする容量も様々に設定することができる。
【００４９】
図６は本発明に係るストレージ装置におけるリスト表示処理の一例を説明するためのフローチャートである。
【００５０】
例えば、セキュリティ監査を行う場合、図６に示されるように、まず、そのようなセキュリティ監査が必要となった任意のタイミングでリスト表示を行う。すなわち、ステップＳＴ４１において、前述したＣＡＭサーバ１１の内蔵ハードディスク１１０に記録されたバックアップ管理簿よりバックアップ日時のバックアップデータ格納場所を取得する。ここで、必要とされるログが内蔵ハードディスク１１０に記録されているログファイル（アクセスログファイル１１１）に含まれていれば、そのまま内蔵ハードディスク１１０から読み出すが、古いログで既にテープ媒体１３０にバックアップされていれば、そのテープ媒体１３０に記録されているログ情報のリストを表示して処理を終了する。
【００５１】
図７は本発明に係るストレージ装置におけるリストア処理の一例を説明するためのフローチャートである。
【００５２】
例えば、セキュリティ監査を行って不正発覚時が確認でき、その不正発覚時のログがＣＡＭサーバ１１の内蔵ハードディスク１１０から削除されてテープ媒体１３０にだけバックアップされているときはリストア機能を使用することになる。すなわち、まず、ステップＳＴ５１において、ＣＡＭサーバ１１の内蔵ハードディスク１１０に記録されたバックアップ管理簿より指定日時のバックアップデータ格納場所を検索して、ステップＳＴ５２に進む。なお、必要とする不正発覚時のログは、テープ媒体１３０のバックアバックアップデータに含まれているものとする。
【００５３】
ステップＳＴ５２では、テープ媒体１３０から内蔵ハードディスク１１０へバックアップデータをコピーして処理を終了する。なお、必要とする不正発覚時のログは、コピーされた内蔵ハードディスク１１０から読み出して参照することになる。
【００５４】
図８は本発明が適用されるログ管理プログラムおよびログ管理プログラムを記録した媒体の例を説明するための図である。図８において、参照符号１０は処理装置、２０はプログラム（データ）提供者、そして、３０は可搬型記録媒体を示している。
【００５５】
本発明は、例えば、図８に示すような処理装置４１０（ＣＡＭサーバ１１）に対するプログラム（データ）として与えられ、処理装置４１０により実行される。処理装置４１０は、プロセッサを含む演算処理装置本体４１１、および、演算処理装置本体４１１に対してプログラム（データ）を与え或いは処理された結果を格納する処理装置側メモリ（例えば、ＲＡＭ（Random Access Memory）やハードディスク）４１２等を備える。処理装置４１０に提供されたプログラムは、ローディングされて処理装置４１０のメインメモリ上で実行される。
【００５６】
プログラム提供者４２０は、プログラムを格納する手段（回線先メモリ：例えば、ＤＡＳＤ（Direct Access Storage Device））４２１を有し、例えば、インターネット等の回線を介してプログラムを処理装置４１０に提供し、或いは、ＣＤ−ＲＯＭやＤＶＤ等の光ディスクまたは磁気ディスクや磁気テープといった可搬型記録媒体４３０を介して処理装置４１０に提供する。本発明に係るログ管理プログラムを記録した媒体は、上記の処理装置側メモリ４１２、回線先メモリ４２１、および、可搬型記録媒体４３０等の様々なものを含むのはいうまでもない。
【００５７】
（付記１）
第１の大容量記憶媒体と、第２の大容量記憶媒体と、該第１および第２の大容量記憶媒体におけるデータを管理するストレージサーバと、を有するストレージ装置であって、
前記ストレージサーバは、正常動作時のログおよびエラー発生時のログを記録するアクセスログファイルと、システムエラー発生時のログだけを記録する専用のエラーログファイルと、を格納する第３の記憶媒体を備えることを特徴とするストレージ装置。
【００５８】
（付記２）
第１の大容量記憶媒体と、第２の大容量記憶媒体と、該第１および第２の大容量記憶媒体におけるデータを管理するストレージサーバと、を有するストレージ装置であって、
前記ストレージサーバは、正常動作時のログおよびエラー発生時のログを記録するログファイルを格納した第３の記憶媒体を備え、
予め定められたタイミングで前記第３の記憶媒体に格納されたログファイルにおける古いログを前記ストレージサーバの外部に設けられた第４の記憶媒体にバックアップすると共に、当該バックアップした古いログに対応するデータを前記第３の記憶媒体に格納されたログファイルから削除するようにしたことを特徴とするログ管理方法。
【００５９】
（付記３）
付記１または２に記載のストレージ装置において、
前記第１の大容量記憶媒体は、ハードディスクアレイであり、
前記第２の大容量記憶媒体は、テープ媒体であり、
前記第３の記憶媒体は、前記ストレージサーバに内蔵されたハードディスクであることを特徴とするストレージ装置。
【００６０】
（付記４）
第１の大容量記憶媒体および第２の大容量記憶媒体におけるデータを管理するストレージサーバのログ管理方法であって、
エラーの発生時のログを、正常動作時のログと共にアクセスログファイルに記録し、
前記エラーがシステムエラーか否かを判定し、
前記エラーがシステムエラーと判定されたときは、当該システムエラー発生時のログを専用のエラーログファイルに記録するようにしたことを特徴とするログ管理方法。
【００６１】
（付記５）
第１の大容量記憶媒体および第２の大容量記憶媒体におけるデータを管理するストレージサーバのログ管理方法であって、
予め定められたタイミングで前記ストレージサーバの内蔵記憶媒体に格納されたログファイルを確認し、
前記内蔵記憶媒体に格納されたログファイルにおける古いログを前記ストレージサーバの外部に設けられた外部記憶媒体にバックアップすると共に、当該バックアップした古いログに対応するデータを前記内蔵記憶媒体に格納されたログファイルから削除するようにしたことを特徴とするログ管理方法。
【００６２】
（付記６）
第１の大容量記憶媒体と、第２の大容量記憶媒体と、該第１および第２の大容量記憶媒体におけるデータを管理するストレージサーバと、を有するストレージ装置における前記ストレージサーバに、
エラーの発生時のログを、正常動作時のログと共にアクセスログファイルに記録する手順と、
前記エラーがシステムエラーか否かを判定する手順と、
前記エラーがシステムエラーと判定されたときは、当該システムエラー発生時のログを専用のエラーログファイルに記録する手順と、を実行させ、ログの管理を行わせることを特徴とするログ管理プログラム。
【００６３】
（付記７）
第１の大容量記憶媒体と、第２の大容量記憶媒体と、該第１および第２の大容量記憶媒体におけるデータを管理するストレージサーバと、を有するストレージ装置における前記ストレージサーバに、
予め定められたタイミングで前記ストレージサーバの内蔵記憶媒体に格納されたログファイルを確認する手順と、
前記内蔵記憶媒体に格納されたログファイルにおける古いログを前記ストレージサーバの外部に設けられた外部記憶媒体にバックアップすると共に、当該バックアップした古いログに対応するデータを前記内蔵記憶媒体に格納されたログファイルから削除する手順と、を実行させ、ログの管理を行わせることを特徴とするログ管理プログラム。
【００６４】
（付記８）
付記６または７に記載のログ管理プログラムを記録した媒体。
【産業上の利用可能性】
【００６５】
本発明は、アーカイブストレージ装置を始めとして様々なストレージ装置に対して幅広く適用することができ、例えば、病院における医療画像情報、国や地方自治体における様々な電子文書および長期保管文書、製造や建築分野におけるＣＡＤ／ＣＡＭ等の設計データ、放送や新聞および出版分野におけるデジタル映像や記事データおよび電子書籍、或いは、インターネットプロバイダによる画像や映像コンテンツおよび e-mail 関連情報といった大量のデジタルデータを記憶および管理するストレージ装置、並びに、ストレージ装置に設けられたストレージサーバに適用される。
【図面の簡単な説明】
【００６６】
【図１】ストレージ装置を含むストレージシステムの一例を概略的に示すブロック図である。
【図２】本発明に係るストレージ装置の一実施例を概略的に示すブロック図である。
【図３】本発明に係るストレージ装置におけるログ管理処理の一形態を説明するためのフローチャートである。
【図４】本発明に係るストレージ装置におけるエラー処理の一例を説明するためのフローチャートである。
【図５】本発明に係るストレージ装置におけるログ管理処理の他の形態を説明するためのフローチャートである。
【図６】本発明に係るストレージ装置におけるリスト表示処理の一例を説明するためのフローチャートである。
【図７】本発明に係るストレージ装置におけるリストア処理の一例を説明するためのフローチャートである。
【図８】本発明が適用されるログ管理プログラムおよびログ管理プログラムを記録した媒体の例を説明するための図である。
【符号の説明】
【００６７】
１    ストレージ装置（アーカイブストレージ装置）
１１    ストレージサーバ（ＣＡＭサーバ）
１２    ディスクアレイ（ハードディスクアレイ：レイド装置）
１３，１３０    テープ媒体
２１，２２    クライアント（ＣＡＭクライアント）
３    ＬＡＮ
１１０    内蔵ハードディスク
１１１    アクセスログファイル
１１２    エラーログファイル
４１０    処理装置（ＣＡＭサーバ）
４１１    演算処理装置本体
４１２    処理装置側メモリ
４２０    プログラム（データ）提供者
４２１    プログラムを格納する手段（回線先メモリ）
４３０    可搬型記録媒体
【図１】
2008129763.tif 000003
【図２】
2008129763.tif 000004
【図３】
2008129763.tif 000005
【図４】
2008129763.tif 000006
【図５】
2008129763.tif 000007
【図６】
2008129763.tif 000008
【図７】
2008129763.tif 000009
【図８】
2008129763.tif 000010